(57)【要約】【課題】イベントを開催する際の手間や費用を低減できると共に、参加者を容易に集めることのできるシステムを提供すること。【解決手段】サーバー管理者が管理するサーバーを分割してチャットルームとして、イベントの開催および参加を希望するユーザー端末に対し該チャットルームを利用させるためのサーバーレンタルシステムであって、イベントの開催を希望するユーザーからの依頼を受け付け、該ユーザーに対し、サーバー内のチャットルームをレンタルするルームオーナー受付手段（１１）と、イベントへの参加を希望するユーザーに対し、ゲストとしてチャットルームへの入室を認めるゲスト受付手段（１３）と、を備えることを特徴とする。【選択図】図１
2006107306.tif 000002
【特許請求の範囲】
【請求項１】
サーバー管理者が管理するサーバーを分割してチャットルームとして、イベントの開催および参加を希望するユーザー端末に対し該チャットルームを利用させるためのシステムであって、
イベントの開催を希望するユーザーからの依頼を受け付け、該ユーザーに対し、サーバー内のチャットルームをレンタルするルームオーナー受付手段（１１）と、
イベントへの参加を希望するユーザーに対し、ゲストとしてチャットルームへの入室を認めるゲスト受付手段（１３）と、を備えることを特徴とするサーバーレンタルシステム。
【請求項２】
前記ゲスト受付手段（１３）は、ゲストが参加を希望するイベントが未開催の場合、代わりに他のイベントを紹介することを特徴とする請求項１記載のサーバーレンタルシステム。
【請求項３】
ユーザーを会員として登録し、そのプロフィールを会員番号により抽出可能にストックする会員プロフィール登録手段（１５）を更に備えることを特徴とする請求項２に記載のサーバーレンタルシステム。
【請求項４】
前記会員プロフィール登録手段（１５）は、プロフィールとして、個人情報、サイトにおけるルームオーナーとしてのイベント開催歴、およびゲストとしてのイベント参加歴を少なくともストックするものであり、
前記ルームオーナー受付手段（１１）は、チャットルームレンタルの契約が成立した旨を会員プロフィール登録手段（１５）に送信し、該ユーザーのイベント開催歴を対応するユーザーのプロフィールに書き込ませると共に、
前記ゲスト受付手段（１３）は、ゲストとしてイベントへの参加契約が成立した旨を会員プロフィール登録手段（１５）に送信し、イベント参加歴としてプロフィールに書き込ませることを特徴とする請求項３に記載のサーバーレンタルシステム。
【請求項５】
前記会員プロフィール登録手段（１５）に登録されたゲストのイベント参加歴から、これに応じた参加費用を算出する参加費用徴収手段（２１）と、
ルームオーナーとしてシステムを利用しているユーザーに対して、チャットルームレンタル料を徴収するレンタル料徴収手段（２３）と、
ゲストとしてもルームオーナーとしてもシステムを利用しているユーザーに対して、参加費用徴収手段（２１）が徴収する参加費用から、レンタル料徴収手段（２３）が算出するチャットルームレンタル料を差引き、該差し引き後の残額をルームオーナーの収入とするイベント収入管理手段（２５）と、を更に備えることを特徴とする請求項４に記載のサーバーレンタルシステム。
【請求項６】
各会員のポイント残高を記録し蓄積する会員ポイント管理手段（２７）を更に設けると共に、
前記参加費用徴収手段（２１）は、算出した参加費用を前記会員ポイント管理手段（２７）に記録されている残高から差し引き、
前記レンタル料徴収手段（２３）は、ルームオーナーとしてのみ利用しているユーザーに対して、算出したレンタル料を前記会員ポイント管理手段（２７）に記録されている残高から差し引き、
前記イベント収入管理手段（２５）は、ゲストおよびルームオーナーの両方として利用しているユーザーについて、算出した差し引き額を前記会員ポイント管理手段（２７）に記録されている残高から差し引くことを特徴とする請求項５に記載のサーバーレンタルシステム。
【請求項７】
イベントのオープンを前記会員プロフィール登録手段（１５）に登録された会員に告知するルームオープン告知手段（３１）を更に備えることを特徴とする請求項に６に記載のサーバーレンタルシステム。
【請求項８】
ゲストおよび／またはサーバー管理者によりイベントの評価を集計するイベント評価手段（４１）を更に備えることを特徴とする請求項７に記載のサーバーレンタルシステム。
【請求項９】
前記イベント評価手段（４１）は、評価の内容のうち公表可能なものを前記ゲスト受付手段（１３）へ送信し、
前記ゲスト受付手段（１３）は、ゲストとしてイベントへの参加を希望するユーザーに対し、現時点で開催されているイベントおよび近い将来開催予定のイベントを、上記評価を含めて、選択可能にリスト表示することを特徴とする請求項８に記載のサーバーレンタルシステム。
【請求項１０】
イベント開催能力を認められたゲストに対して前記ルームオーナー受付手段（１１）への斡旋を行うルームオーナー斡旋手段（５１）を更に設けることを特徴とする請求項９に記載のサーバーレンタルシステム。
【請求項１１】
ゲストまたはルームオーナーから同じイベントに参加しているゲストのメールアドレスの打診があった場合に、各ゲストのメールアドレスを前記会員プロフィール登録手段（１５）から抽出し読み出すイベント内アクセス手段（６１）、
私書箱のレンタルを希望する会員からの依頼を受け付け、該ユーザーに対し、サーバー内の一部を私書箱としてレンタルする私書箱レンタル手段（６３）、
イベントがショップの場合に、ショップで販売した商品を買主であるゲストの元へ転送する宅配物転送サービス手段（６５）、
の各手段のうちいずれか１つまたは２つ以上を更に備えることを特徴とする請求項１０に記載のサーバーレンタルシステム。
【発明の詳細な説明】
【技術分野】
【０００１】
本発明は、サーバー管理者が管理するサーバーを分割してチャットルームとして、イベントの開催および参加を希望するユーザー端末に対し該チャットルームを利用させるためのサーバーレンタルシステムに関する。
【背景技術】
【０００２】
従来より、オンラインスクール、セミナー、名刺交換会、異業種交流会、情報交換会、勉強会、講演会、対談、法律相談、カウンセリング、コンサルティング、時事テーマの討論会、交流会等のビジネス系イベントの他、アイドル撮影会、カラオケ、占い、商品販売ショップ等のエンターテイメント系イベントなど、様々なアイデアや企画に基づき、複数の人々が参加して行ういわゆるイベントが行われていた。
【０００３】
しかしながら、これらのイベントは、実社会で名声を得ている人が主催するのでなければ参加者の確保が困難となりやすく、更に会場の確保も難しいと言う問題があった。また、会場から遠く離れたところにいる人や、多忙で時間を割くことができない人は、例え参加する意思があっても実際には参加できないという問題があった。更に、会場費その他費用がかかるため、参加費用が高額となり、そのような面からも参加を見合わせる人も多かった。
【発明の開示】
【発明が解決しようとする課題】
【０００４】
従って、本発明の目的は、従来の問題を解消し、イベントを開催する際の手間や費用を低減できると共に、参加者を容易に集めることのできるシステムを提供することにある。
すなわち、第１の課題は、通常の人がイベントを主催でき、容易に参加者の確保ができ、会場の確保なども心配無用のサーバーレンタルシステムを提供することである。
また、第２の課題は、会場から遠く離れたところにいる人や、多忙で時間を割くことができない人にとっても、イベントを主催でき、容易に参加者ができるサーバーレンタルシステムを提供することである。
更に、第３の課題は、会場費その他費用を低廉に抑え、リーズナブルな費用で参加できるサーバーレンタルシステムを提供することである。
【課題を解決するための手段】
【０００５】
そこで、本発明者らは上記目的を達成すべく鋭意検討を重ね、その過程でネットワークを介したサーバーの利用に着目した。そして、イベントの開催を希望するユーザーに対し、サーバーの一部をチャットルームとしてレンタルすることにより、ユーザー自身がサーバーを手に入れずとも容易にイベントを開催できることを見出し、本発明のサーバーレンタルシステムを創出した。
【０００６】
請求項１記載のサーバーレンタルシステムは、サーバー管理者が管理するサーバーを分割してチャットルームとして、イベントの開催および参加を希望するユーザー端末に対し該チャットルームを利用させるためのシステムであって、イベントの開催を希望するユーザーからの依頼を受け付け、該ユーザーに対し、サーバー内のチャットルームをレンタルするルームオーナー受付手段（１１）と、イベントへの参加を希望するユーザーに対し、ゲストとしてチャットルームへの入室を認めるゲスト受付手段（１３）と、を備えることを特徴とする。
【０００７】
請求項２に記載のサーバーレンタルシステムは、請求項１において、前記ゲスト受付手段（１３）は、ゲストが参加を希望するイベントが未開催の場合、代わりに他のイベントを紹介することを特徴とする。
【０００８】
請求項３に記載のサーバーレンタルシステムは、請求項２において、ユーザーを会員として登録し、そのプロフィールを会員番号により抽出可能にストックする会員プロフィール登録手段（１５）を更に備えることを特徴とする。
【０００９】
請求項４に記載のサーバーレンタルシステムは、請求項３において、前記会員プロフィール登録手段（１５）は、プロフィールとして、個人情報、サイトにおけるルームオーナーとしてのイベント開催歴、およびゲストとしてのイベント参加歴を少なくともストックするものであり、前記ルームオーナー受付手段（１１）は、チャットルームレンタルの契約が成立した旨を会員プロフィール登録手段（１５）に送信し、該ユーザーのイベント開催歴を対応するユーザーのプロフィールに書き込ませると共に、前記ゲスト受付手段（１３）は、ゲストとしてイベントへの参加契約が成立した旨を会員プロフィール登録手段（１５）に送信し、イベント参加歴としてプロフィールに書き込ませることを特徴とする。
【００１０】
請求項５に記載のサーバーレンタルシステムは、請求項４において、前記会員プロフィール登録手段（１５）に登録されたゲストのイベント参加歴から、これに応じた参加費用を算出する参加費用徴収手段（２１）と、ルームオーナーとしてシステムを利用しているユーザーに対して、チャットルームレンタル料を徴収するレンタル料徴収手段（２３）と、  ゲストとしてもルームオーナーとしてもシステムを利用しているユーザーに対して、参加費用徴収手段（２１）が徴収する参加費用から、レンタル料徴収手段（２３）が算出するチャットルームレンタル料を差引き、該差し引き後の残額をルームオーナーの収入とするイベント収入管理手段（２５）と、を更に備えることを特徴とする。
【００１１】
請求項６に記載のサーバーレンタルシステムは、請求項５において、各会員のポイント残高を記録し蓄積する会員ポイント管理手段（２７）を更に設けると共に、前記参加費用徴収手段（２１）は、算出した参加費用を前記会員ポイント管理手段（２７）に記録されている残高から差し引き、前記レンタル料徴収手段（２３）は、ルームオーナーとしてのみ利用しているユーザーに対して、算出したレンタル料を前記会員ポイント管理手段（２７）に記録されている残高から差し引き、前記イベント収入管理手段（２５）は、ゲストおよびルームオーナーの両方として利用しているユーザーについて、算出した差し引き額を前記会員ポイント管理手段（２７）に記録されている残高から差し引くことを特徴とする。
【００１２】
請求項７に記載のサーバーレンタルシステムは、請求項６において、イベントのオープンを前記会員プロフィール登録手段（１５）に登録された会員に告知するルームオープン告知手段（３１）を更に備えることを特徴とする。
【００１３】
請求項８に記載のサーバーレンタルシステムは、請求項７において、ゲストおよび／またはサーバー管理者によりイベントの評価を集計するイベント評価手段（４１）を更に備えることを特徴とする。
【００１４】
請求項９に記載のサーバーレンタルシステムは、請求項８において、前記イベント評価手段（４１）は、評価の内容のうち公表可能なものを前記ゲスト受付手段（１３）へ送信し、前記ゲスト受付手段（１３）は、ゲストとしてイベントへの参加を希望するユーザーに対し、現時点で開催されているイベントおよび近い将来開催予定のイベントを、上記評価を含めて、選択可能にリスト表示することを特徴とする。
【００１５】
請求項１０に記載のサーバーレンタルシステムは、請求項９において、イベント開催能力を認められたゲストに対して前記ルームオーナー受付手段（１１）への斡旋を行うルームオーナー斡旋手段（５１）を更に設けることを特徴とする。
【００１６】
請求項１１に記載のサーバーレンタルシステムは、請求項１０において、ゲストまたはルームオーナーから同じイベントに参加しているゲストのメールアドレスの打診があった場合に、各ゲストのメールアドレスを前記会員プロフィール登録手段（１５）から抽出し読み出すイベント内アクセス手段（６１）、私書箱のレンタルを希望する会員からの依頼を受け付け、該ユーザーに対し、サーバー内の一部を私書箱としてレンタルする私書箱レンタル手段（６３）、イベントがショップの場合に、ショップで販売した商品を買主であるゲストの元へ転送する宅配物転送サービス手段（６５）、の各手段のうちいずれか１つまたは２つ以上を更に備えることを特徴とする。
【発明の効果】
【００１７】
本発明によれば、ユーザーは、アイディアや企画さえあれば、会場の準備などに煩わされることなく、自由にイベントを開催できると共に、パソコン、携帯電話等の情報通信機器があれば現在地を問わずライブチャットに参加できる。例えば海外にいても交通費や移動時間をかけずに参加することができる。
また、本発明のシステムの管理者は、チャットルームをレンタルすることにより、安定した収入を得ることができる。
そして、イベントの評価制度を設ければ、管理者としてはイベントの水準を維持することができ、一方のルームオーナーは、実社会で更なるステップアップを図ることもできる。
【発明を実施するための最良の形態】
【００１８】
本発明のサーバーレンタルシステムは、サーバー管理者が管理するサイト「○○」を構成するサーバーを分割してチャットルームとして、イベントの開催を希望するユーザーに対しチャットルームをレンタルするためのものである。
従って、本発明のシステムは、図１に示すように、ユーザー（会員）の元にあるユーザー端末と、インターネット等のネットワーク手段により接続された、サーバー管理者のもとにある管理者端末との間で行われるものである。
【００１９】
本発明において、イベントの開催は、サーバー内のチャットルームを介してインターネット等のネットワーク手段により、イベントを開催するユーザー（ルームオーナー）のユーザー端末から該イベントへの参加を希望するユーザー（ゲスト）のユーザー端末に対し声や動画像を双方向に送受信可能になされ、いわゆるテレビ電話のようにお互いの顔を見ながら音声及び文字による会話を可能とする。具体的には、各ユーザーのもとにあるインターネットに接続したパソコン、携帯電話等の情報通信機器を介して行われる。コミュニケーション手段である。
【００２０】
本発明におけるイベントとは、一または複数のゲストに対して情報や商品を提供するものであり、ルームオーナー自身のアイディアや企画に基き自由に設定されるものである。例えば、オンラインスクール、セミナー、名刺交換会、異業種交流会、情報交換会、勉強会、講演会、対談、法律相談、カウンセリング、コンサルティング、時事テーマの討論会、交流会等のビジネス系イベントの他、アイドル撮影会、カラオケ、占い、商品販売ショップ等のエンターテイメント系イベントなどを挙げることができる。
オンラインスクールとは、外国語教室やパソコンスクールを意味する。国際化や情報化が発達した現代社会において需要が増加しつつあるものとして、英会話教室を挙げることができる。
セミナーや交流会は、特定のテーマについて研究、報告、討論するための集会を意味し、情報の交換やビジネスチャンス拡大の場として、実際に毎日全国各地で多数開催されているものである。
尚、イベントを開いている間、トップページにルームオーナーの名前とイベント内容とを表示することにより、無料広告として活用させることもできる。
商品販売ショップの場合、例えばルームオーナーがビジネスマンの場合はオリジナルレポート、占い師の場合は開運グッズ、チャットレディの場合は手作りアクセサリーを販売することができる。
【００２１】
本発明のシステムは、管理者のもとには、レンタル対象となるサーバーのほか、図２に示すような各手段を備える。
すなわち、本発明のシステムは、基本的には、ルームオーナー受付手段１１およびゲスト受付手段１３を備えている。ここで、ルームオーナーとゲストのプロフィールを効率的に管理することができる点で、会員プロフィール登録手段１５を更に設けることが好ましい。
本発明のシステムにおける費用面の管理負担を軽減するためには、参加費用徴収手段２１、レンタル料徴収手段２３、およびイベント収入管理手段２５を設け、更に会員ポイント管理手段２７を設けてポイント制とすることが好ましい。
更に、本発明においてルームオーナーのゲストの集客負担を軽減するために、ルームオープン告知手段３１を設け、イベントの質を保持するためにイベント評価手段４１やルームオーナー斡旋手段５１を設けることもできる。
【００２２】
ルームオーナー受付手段１１は、イベントの開催を希望するユーザーからの依頼を受け付け、該ユーザーに対し、サーバー内のチャットルームをレンタルする手段をいう。
チャットルームとは、サーバーの一部を構成するものであり、参加者だけで会話ができる、ブラウザ上に表示されるウィンドウであり、Ｆｌａｓｈ等で動作するものとすることができる。チャットルームの分類としては、チャットモードおよびウォッチモードを挙げることができる。チャットモードとは、ゲストの動画、音声、文字を双方向で送受信できるモードであり、１つのチャットルームにゲストが０人〜８人まで同時ログインできるが、入室可能人数はルームオーナーがイベントの内容に応じて設定することができる。ウォッチモードとは、ルームオーナーの動画とチャットの文字だけを見ることができるモードである。１つのチャットルームに０人〜無制限まで同時ログインできるが、入室可能人数はルームオーナーがイベントの内容に応じて設定することができる。通信環境の整備状況によれば、ゲストの収容人数１００人規模のイベントも可能である。また、同じテーマで以前に開催したイベントと一連のシリーズを形成するイベントを行うこともできる。
ユーザーからの依頼を受け付ける際、ルームオーナー受付手段１１は、イベントの内容、ゲスト収容人数、レンタル期間、ゲストへの参加費用の基準（時間制、定額制の別も含めて）等、更に該ユーザーのプロフィール（但し、後述の会員プロフィール手段を設ける場合は不要）を知らせてもらうことが好ましい。このような事項を正確かつ迅速に受け取るため、ルームオーナー受付手段１１は、該事項を入力可能に表示するイベント開催希望者のための申込み用ページ（例えば、図３）を提供することが好ましい。
尚、ある一定期間、或いは全期間を通して参加費用は取らない（無料）と言う選択も可能である。例えば、最初の一定期間は無料として、無料体験、お試し体験などの機会をゲストに提供し、その後有料とすることもできる。
【００２３】
また、チャットルームをレンタルする契約が締結された際には、ルームオーナー受付手段１１は、契約期間等の契約事項を明示することが好ましい。
チャットルームの提供は、依頼があった時にサーバーを分割して提供することもできるし、予め所定数のチャットルームを設けておくこともできる。
レンタルを受けたユーザーは、ルームオーナーとして自己の端末（ルームオーナー端末）からイベントを開催（主催）することとなる。ここで、会員プロフィール登録手段１５を設ける場合、チャットルームレンタルの契約が成立した旨を会員プロフィール登録手段１５に送信し対応するユーザー（会員）のイベント開催歴としてプロフィールに書き込ませることとなる。
尚、ルームオーナーについては、特に限定されず、プロの講師はもちろん、未経験者であっても、アイディア・企画力を活用してルームオーナーとなることができる。チャットルームの使用時間（イベントの開催時間）は特に制約されない。
尚、本発明のシステムにおいて、ルームオーナーやゲスト未経験者のためのデモ版のチャットルームを提供することもできる。
【００２４】
ゲスト受付手段１３は、イベントへの参加を希望するユーザーに対し、ゲストとしてチャットルームへの入室を認める手段である。参加は予約や入室制限がある場合を除き、参加資格を問われることなく基本的に自由である。イベントへの参加希望の際、参加したいイベント名、該ユーザーのプロフィール（但し、後述の会員プロフィール手段を設ける場合は不要）を知らせてもらうことが好ましい。このような開催希望に必要な事項を正確かつ迅速に受け取るため、ゲスト受付手段１３は、現時点で開催されているイベントおよび近い将来開催予定のイベントを、定員に達しているもの以外を選択可能にリスト表示することが好ましい（例えば、図４）。
また、該画面には、ジャンルの選択欄（図４参照）を設け、ユーザーが希望するジャンルを指定すると、そのジャンルのイベントのみに絞ったリストを表示することができる。また、後述のイベント評価手段４１を設ける場合は、リストにおいて、イベントの評価をも表示することが好ましい。
入室を認められたユーザーは、ゲストとして自己の端末（ゲスト端末）からイベントに参加することとなる。ここで、会員プロフィール登録手段１５を設ける場合、イベントへの参加契約が成立した旨を会員プロフィール登録手段１５に送信し対応するユーザー（会員）のイベント参加歴としてプロフィールとして書き込ませることとなる。
【００２５】
また、ゲスト受付手段１３は、ゲストが参加を希望するイベント（例えば、英会話教室）が未開催、すなわち開催される（オープン）までまだ間がある場合、他のイベントを紹介するものであっても良い。他のイベントは、ゲスト受付手段１３がランダムに選ぶことができ、例えば、占いイベントを紹介して今日の運勢を見てもらったり、競馬予想イベントを紹介して競馬予想師に明日の勝ち馬を教えてもらう等することができる。
【００２６】
会員プロフィール登録手段１５は、本サーバーレンタルシステムのユーザーを会員として登録し、そのプロフィールを会員番号により抽出可能にストックする手段をいう。
プロフィールは、会員登録の際に開示された個人情報のほか、本発明のシステムが提供するサイトにおいてのルームオーナーとしてのイベント開催歴（イベントの内容および開催期間）、ゲストとしてのイベント参加歴（期間も含めて）、その他必要事項である。
これらの開催歴及び参加歴については、会員プロフィール登録手段１５が逐次書き込むこととする。また、個人情報については、正確かつ迅速に受け取るため、会員プロフィール登録手段１５は、該事項を入力可能に表示するユーザーのための会員登録用ページをサーバーから提供することが好ましい。尚、個人情報については、外部及び内部流出を防ぐ観点から、最小限（最小限、例えばメールアドレスと銀行口座名義とすることが好ましい。銀行口座名義とは、具体的には、口座名が「・・・銀行本店  普通  １２３４５６７  ××××××」の場合の「××××××」の部分を指す。
会員登録が完了すると、ユーザーに会員ＩＤが付与される。
このように、会員プロフィール登録手段１５を設ける場合には、ユーザーは、イベントの開催を希望する（ルームオーナーとなる）場合も、イベントへの参加を希望する（ゲストとなる）場合にも、該手段への登録が必要ということになる。尚、会員プロフィール登録手段１５への登録後に、ゲストがルームオーナーとしてイベントを主催することもできるし、ルームオーナーがゲストとしてイベントに参加することが可能であり、同一会員が、「ルームオーナー」と「ゲスト」の両方でサイト「○○」を利用できることとなる。
尚、会員がルームオーナー、またはゲストのいずれの立場で参加するか区別するために、本システムを行うサイトにおける表紙ページ等にユーザーが会員ＩＤを明示する欄を設け、明示すると会員ページ（図５）を表示することが好ましい。
【００２７】
また、イベント開催歴及びイベント参加歴については、それぞれルームオーナー受付手段１１やゲスト受付手段１３から送信された情報により適宜書き換えることとなる。
【００２８】
参加費用徴収手段２１は、会員プロフィール登録手段１５に登録されたゲストのイベント参加歴から、これに応じた参加費用を算出する手段である。基準となる参加費用は、上述のようにルームオーナーが設定することができるので、イベントごとに異なる場合がある。また、参加費用の算出方法は、例えば、毎月末に、会員プロフィール登録手段のプロフィールを参照して参加状況を確認し、ゲストのイベント参加歴から、その月の参加費用としてのポイントを算出する形とすることができる。
ルームオーナーとしての開催歴がある場合もあるので、参加費用徴収手段２１は、この場合の参加費用は、後述するようにイベント収入管理手段２５に伝えられ、該手段２５により処理される。
チャットルーム関連の費用集計における算出の間違いをなくすため、サイト内で用いられる一連の費用の「通貨」として、現金に換算可能なポイントを利用することが好ましい。
会員ポイント管理手段２７を設ける場合、参加費用徴収手段２１は、算出した参加費用を会員ポイント管理手段２７に記録されている残高から差し引く。
尚、ライブチャットにおけるポイントの支払は、メールアドレスだけで送金できるイーバンク銀行のメルマネサービス等を利用することで、匿名性を保つことができる。
【００２９】
レンタル料徴収手段２３は、ルームオーナーとして本システムを利用しているユーザーについて、チャットルームレンタル料を徴収する手段である。
具合的には、会員プロフィール登録手段１５のプロフィールを参照して、その月のチャットルームレンタル料を算出することとなる。レンタル料は、一律（例えば、参加費用（ポイント）の４０％）とすることもできるし、レンタルの際個別に契約で定めることもできる。
ゲストとしての参加歴がある場合もあるので、参加費用徴収手段２１は、この場合の参加費用は、後述するようにイベント収入管理手段２５に伝えられ、該手段２５により処理される。
会員ポイント管理手段２７を設ける場合、レンタル料徴収手段２３は、ルームオーナーとしてのみ利用しているユーザーについて、算出したレンタル料を会員ポイント管理手段２７に記録されている残高から差し引く。
【００３０】
イベント収入管理手段２５は、ゲストとしてもルームオーナーとしても本システムを利用しているユーザーについて、参加費用徴収手段２１が徴収する参加費用から、レンタル料徴収手段２３が算出するチャットルームレンタル料を差引き、該差し引き後の残額をルームオーナーの収入とする手段である。上述の場合、ルームオーナーの収入は、参加費用（ポイント）からレンタル料を差し引いた６０％となる。
会員ポイント管理手段２７を設ける場合、イベント収入管理手段２５は、ゲストおよびルームオーナーの両方として利用しているユーザーについて、算出した差し引き額を会員ポイント管理手段２７に記録されている残高から差し引く。
【００３１】
会員ポイント管理手段２７は、各会員のポイント残高を記録し蓄積する。ポイントの現金への換算処理は、会員ポイント管理手段２７だけでなく、参加費用徴収手段２１、レンタル料徴収手段２３、およびイベント収入管理手段２５との連携で行われる。例えば、会員ポイント管理手段２７が会員ごとに自身が保有しているポイントを表示すると共に現金換算ボタンが設けられた管理画面を提供し、該現金換算ボタンを会員がクリックした場合に、ポイントを現金に換算してポイントを０にすると共に、換算された現金の金額を、参加費用徴収手段２１、レンタル料徴収手段２３、およびイベント収入管理手段２５が請求対象または報酬支払い対象として記録（一時保管）してこれを管理者にメール等で伝達することにより、処理を行うことができる。尚、イベント収入管理手段２５は、規約その他で定められた日に、ルームオーナーの銀行口座に対し実際の報酬を支給することとなる。ポイントが不足の場合は、各会員に通知し、場合によっては会員資格を剥奪するなどの制裁を取ることもできる。
【００３２】
ルームオープン告知手段３１は、本システムにおけるイベントのオープンを会員プロフィール登録手段１５に登録された会員に告知する手段である。イベント開催を知らせるお知らせメールを会員に提供する。
イベント開催を知らせるお知らせメールは、会員プロフィール登録手段１５に記録された、ルームオーナーの契約内容を読み出して作成することができる。例えば、事前に該イベントを主催するルームオーナー自身が自分のイベントのオープン予定を全会員に告知し、予約を受け付けるような内容とすることができる。具体的には例えば、「株式投資情報交換会  ○月○日（木）  午後１９時〜午後２０時まで  チャットモード定員５名  ウォッチモード定員５名  参加費３０００円  予約受付中（先着順）」、「英会話教室  ○月○日（日）  午前１１時〜午後１２時まで  チャットモード定員４名  ウォッチモード定員１０名  参加費２５００円  予約受付中（抽選）」といったものである。
ルームオープン告知手段３１が告知する対象となる会員は、全員でも良いし、同じテーマで一連のシリーズで行うイベントの場合などは、会員プロフィール登録手段１５から前回のイベントに参加した会員を抽出し、該会員に限定して送っても良い。いずれにしても、ルームオープン告知手段３１は、会員プロフィール登録手段１５から告知対象である会員のメールアドレスを読み出して行うこととにある。このような告知対象については、告知の日にちと併せて、ルームオープン告知手段３１が、ルームオーナーであるユーザーに確認を取ることが好ましい。
尚、告知対象を限定しない告知ページとしてルームオープンを知らせることも可能である。
尚、オープンの告知は、ルームオーナーの希望により行わなくとも良い。
【００３３】
イベント評価手段４１は、ゲストおよび／またはサーバー管理者によりイベントの評価を集計する手段である。ルームオーナーの実力を客観的に評価し、均等にチャレンジできる場所となると共に、イベントの水準を維持することができる。
イベントの評価の基準は客観的に評価できるのであれば特に限定されず、例えば、面白さ（例えば、面白い、普通、面白くないの３段階）、オンラインスクールの場合はゲストの能力向上度による評価とすることができる。評価は定期的に（例えば月１〜２回）行うものとする。
集計された評価内容は、イベント評価手段４１にイベントごとに記録される。また、ルームオーナーの希望（例えば、イベント評価手段４１がルームオーナー個々にメールで確認するなどする）によりイベント評価手段４１が会員向けの会員ページ、好ましくはゲスト受付手段に評価内容を送信し、公開するイベントのリストにて公開することができる。公開は、評価内容のすべてを公開、すべてを非公開、及び良い評価内容のみ公開の３種類を選択できるものとすることができる。
イベントの評価は、ゲスト受付手段１３が表示するイベントのリストにおいて示すことが望ましい。このように表示することにより、同じジャンルのイベント（例えば、英会話教室）が複数あるときの選択の指標とすることができる。
【００３４】
ルームオーナー斡旋手段５１は、イベント開催能力を認められたゲストについてルームオーナー受付手段１１への斡旋を行う手段である。イベント開催能力とは、例えば、イベントが英会話教室の場合、英会話教室の講師としての能力を意味し、そのイベントを開催しているルームオーナーにより、例えばテストで常に成績上位である等の基準により判断される。
ルームオーナー斡旋手段５１は、ルームオーナーからのメール等による通知により起動し、そのルームオーダー及びゲストの両者の承諾を得た上で行うことが好ましい。
例えば、ルームオーナーが定期的にテストを行った結果、成績上位であり、英会話教師の講師としての能力があると認められた場合、ルームオーナー斡旋手段５１にその旨をメール等で通知することにより、ルームオーナー斡旋手段５１がチャットルームのレンタルをゲストやルームオーナーに打診し、ゲストが了承すれば英会話教室を開かせるといったものである。この際、ルームオーナーへの不利益を押えるために、ルームオーナーから該ゲストがイベントを開く際の条件を指定させることができる。
【００３５】
その他、イベントの円滑な運営のために、イベント内アクセス手段６１、私書箱レンタル手段６３、宅配物転送サービス手段６５などを設けることができる。
【００３６】
イベント内アクセス手段６１は、ゲストまたはルームオーナーから同じイベントに参加しているゲストのメールアドレスの打診があった場合に、各ゲストのメールアドレスを会員プロフィール登録手段１５から抽出し読み出す。
同じイベントに参加しているゲストは、ゲスト全員であっても良いし、またはそのうちの一部（１名または２名以上））であっても良い。
これにより、ゲスト同士でダイレクトに秘話メッセージを送ることができる。また、イベント参加後にゲスト同士で誘い合って二次会やオフ会を開くこともできるし、チャットレディとオンラインデートを楽しむこともできる。
尚、メールの情報がメールをやり取りする当事者以外には漏れないことを保証するための何らかの手段が取られることが好ましい。
【００３７】
私書箱レンタル手段６３は、私書箱のレンタルを希望する会員からの依頼を受け付け、該ユーザーに対し、サーバー内の一部を私書箱としてレンタルする手段である。
私書箱は、会員から送信されたメールをプールする、いわゆる郵便の場合の私書箱と同様の機能である。私書箱レンタル手段６３は、チャットルームレンタル手段の場合と同様にサーバーの一部を管理者がレンタルするものである。サーバーの一部である点で、チャットルームと同様である。
私書箱は、個人情報保護の観点から匿名とすることができる。また、私書箱のレンタル料徴収、私書箱へのメール送信を課金対象とすることができる点では、チャットルームの場合と同様である。例えば、参加費用（ポイント）の６０％をユーザーの収入とすることができる。
ユーザーは、私書箱をレンタルすることにより、有料のメール相談（法律相談、カウンセリングなど）に利用することができる。
【００３８】
宅配物転送サービス手段６５は、イベントがショップの場合に、ショップで販売した商品を買主であるゲストの元へ転送するものである。
【００３９】
以下、本発明のシステムの流れを説明する。
まず、イベントの開催を望むユーザーが本発明のシステムにおいてチャットルームをレンタルするまでの流れを図６を参照して説明する。
ユーザーがユーザー端末（パソコン）からインターネットを介して本発明のサイトにアクセスすると、ユーザーが会員でない場合は（ステップ１０１のＮｏ）、会員プロフィール登録手段１５が立ち上がり、会員登録用ページをユーザー端末の画面に表示させる（ステップ１０２）。画面にユーザーがプロフィールを書き込むと、会員ＩＤが付与され、会員プロフィール登録手段への登録がなされる（ステップ１０３）。続いて、会員ページ（図５）をユーザー端末の画面に表示させる（ステップ１０５）。ユーザーが会員の場合は（ステップ１０１のＹｅｓ）、会員ＩＤを入力すると、会員プロフィール登録手段１５が確認を行い（ステップ１０４）、ステップ１０５へ進む。
ユーザーが、会員ページ（図５）の「ルームオーナー募集」を選択する（ステップ１０５）。すると、ルームオーナー受付手段１１が立ち上がり、申し込み用ページ（図３）を表示する（ステップ１０６）。画面にユーザーが必要事項を記入すると（ステップ１０７）、ルームオーナー受付手段１１は、ルームオーナーとしての注意事項を示す画面を表示し（ステップ１０８）、ユーザーが該画面のＯＫをクリックする（ステップ１０９）と契約が成立し、ルームオーナー受付手段１１から契約成立した旨が、会員プロフィール登録手段１５に送信され（ステップ１１０）、ユーザーのプロフィールにルームオーナーとしてのイベント開催歴が書き込まれる（ステップ１１１）、ユーザーはルームオーナーとしてイベントを開催できる状態となる。
【００４０】
続いて、チャットルームのレンタル契約完了後のイベントの告知に関する流れを図７を参照して説明する。
チャットルームのルームオーナーとして契約が成立すると、まもなく、ルームオープン告知手段３１が立ち上がり、ルームオーナーであるユーザー端末のメールアドレスを会員プロフィール登録手段から読み出し（ステップ２０１）、該メールアドレスに対し、告知を行うか否かの確認を行うメッセージをメール送信する（ステップ２０２）。ユーザーからの返信において告知を行う旨が選択されていた場合（ステップ２０３のＹｅｓ）、ルームオープン告知手段３１は、イベントの内容を会員プロフィール登録手段から読み出し（ステップ２０４）、お知らせメールの内容を作成する（ステップ２０５）。作成した内容と、告知する対象会員（全員か一部か）および告知の日にちとを併せて確認するメールを、そのルームオーナーのユーザー端末に送信する（ステップ２０６）。ユーザーから、告知の内容がＯＫ或いは適宜修正する旨の回答と共に対象会員や日にちを明記する返信メールを受取った場合（ステップ２０７のＹｅｓ）、告知する対象会員のメールアドレスを、ルームオープン告知手段３１が会員プロフィール登録手段１５から読み出して（ステップ２０８）、該会員へ決められた日にちに告知メールを送信する（ステップ２０９）。一方、告知の内容等について確定的な返事がもらえない場合は、再度ステップ２０５に戻り、確認のメールを送信する。
一方、ステップ２０２の後、ユーザーからの返信において告知を行わない旨が選択されていた場合は（ステップ２０３のＮｏ）、そこで処理を終了する。
【００４１】
次に、イベントへの参加を望むユーザーが本発明のシステムにおいてイベントのゲストとなるまでの流れを図８を参照して説明する。
ユーザーがユーザー端末（パソコン）からインターネットを介して本発明のサイトにアクセスすると、ユーザーが会員でない場合は（ステップ３０１のＮｏ）、会員プロフィール登録手段１５が立ち上がり、会員登録用ページをユーザー端末の画面に表示させる（ステップ３０２）。画面にユーザーがプロフィールを書き込むと、会員ＩＤが付与され、会員プロフィール登録手段への登録がなされる（ステップ３０３）。続いて、会員ページ（図５）をユーザー端末の画面に表示させる（ステップ３０５）。ユーザーが会員の場合は（ステップ３０１のＹｅｓ）、会員ＩＤを入力すると、会員プロフィール登録手段１５が確認を行い（ステップ３０４）、ステップ３０５へ進む。
ユーザーが、会員ページ（図５）の「ゲスト募集」を選択する（ステップ３０６）。すると、ゲスト受付手段１３およびイベント評価手段４１が立ち上がり、現時点で開催されているイベントおよび近い将来開催予定のイベントを、定員に達しているもの以外を選択可能に、その評価と共にリスト表示する（ステップ３０７：図４）。該画面のジャンルの欄にて「英会話教室」を選択した場合（ステップ３０８のＹｅｓ）、ゲスト受付手段は、上記リスト中英会話教室をゲスト受付手段１３が表示する（ステップ３０９）。ジャンルの欄における選択を行わない場合は（ステップ３０８のＮｏ）、ステップ３１０に進む。ユーザーがイベントの一つを選択すると（ステップ３１０）、その情報がゲスト受付手段３１に伝わり、そのユーザーがゲストとして選択した英会話教室への参加（まだ開催されていない場合は参加予約）契約が成立し、ゲスト受付手段１３から契約成立した旨が、会員プロフィール登録手段１５に送信され（ステップ３１１）、ユーザーのプロフィールにゲストとしてのイベント参加歴が書き込まれ（ステップ３１２）、ユーザーはゲストとしてイベントに参加できる状態となる。尚、会員の場合、お知らせメールから直接参加の予約をすることもできる。
イベント開催までしばらく間がある場合は（ステップ３１３のＹｅｓ）、ゲスト受付手段１３は、他のイベントを紹介し（ステップ３１４）、これに参加することをゲストが希望した場合は（ステップ３１５）、ステップ３１０に戻る。
【００４２】
続いて、参加費用（ポイント）、レンタル料などの請求について、図９を参照して説明する。
まず、前提として、会員プロフィール登録手段１５は、各会員（ユーザー）のイベント利用状況を逐次把握してプロフィールとして記録している（ステップ４０１）。
参加費用徴収手段２１は、毎月末に、会員プロフィール登録手段１５のプロフィールを参照して参加状況を確認し（ステップ４０２）、ユーザーがルームオーナーである場合は（ステップ４０５のＹｅｓ）、レンタル料徴収手段２３が起動し会員プロフィール登録手段１５のプロフィールを参照して（ステップ４０６）、その月のチャットルームレンタル料（ポイント）を算出する。
そして、ルームオーナーがゲストとしては参加していない場合は（ステップ４０７のＮｏ）、レンタル料徴収手段２３が、
会員ポイント管理手段２７に記録された各ルームオーナーのポイントの残高からチャットルームレンタル料を引き落とす（ステップ４０８）。
一方、ルームオーナーのほかに、他のイベントにてユーザーとしても参加している場合は（ステップ４０７のＹｅｓ）、イベント収入管理手段２５が立ち上がり、参加費用からレンタル料を差し引いた額を算出し（ステップ４０９）、
差し引き後のポイントを会員ポイント管理手段２７のそのルームオーナー兼ゲストのポイントに加える（ステップ４１０）。
一方、ルームオーナーではない場合で（ステップ４０５のＮｏ）、ゲストとして参加している場合（ステップ４０３のＹｅｓ）は、参加費用徴収手段２１が、
ゲストのイベント参加歴から、その月の参加費用としてのポイントを算出して（ステップ４０４）参加費用を引き落とす。
そして、ポイント不足となった場合（ステップ４１１のＹｅｓ）、会員ポイント管理手段２７は、その会員のメールアドレスを会員プロフィール登録手段１５から読み出し（ステップ４１２）、該アドレスに対し、ポイント不足であることを伝えるメールを送信する（ステップ４１３）。
【００４３】
次に、イベント評価手段４１による評価の手順を図１０を参照して説明する。
毎月１５日と３０日に、イベント評価手段４１が立ち上がり、管理者の担当者複数名の観点から各イベントの客観的な評価を行う（ステップ５０１）。評価終了後、評価内容がイベント評価手段にて記録される（ステップ５０２）。ルームオーナーのメールアドレスを会員プロフィール登録手段１５から読み出して（ステップ５０３）、評価の内容がルームオーナーにメールにて伝えられ、評価を公開するかどうかの確認が取られる（ステップ５０４）。ルームオーナーが全部又は一部公開しても良いとの返答をした場合は（ステップ５０５のＹｅｓ）、会員ページでそのイベントの評価として公開する（ステップ５０６）。一方、非公開とするように指示があった場合は（ステップ５０５のＮｏ）、会員ページでの公開をせず、処理を終了する。
【００４４】
続いて、ルームオーナー斡旋手段５１によるゲストの斡旋の手順を図１１を参照して説明する。
ルームオーナーが定期的にテストを行った結果、成績上位であり、英会話教師の講師としての能力があると認められたゲストがいた場合、ルームオーナーはメール等により管理者に通知する（ステップ６０１）。すると、ルームオーナー斡旋手段５１が起動し、ゲストのメールアドレスを会員プロフィール登録手段１５から抽出する（ステップ６０２）。該アドレスに対し、英会話教室開校のためのチャットルームのレンタルを打診するメールを送信する（ステップ６０３）。一方、ルームオーナーのメールアドレスも会員プロフィール登録手段１５から抽出し（ステップ６０４）、ルームオーナーにそのゲストが英会話教室を開講する場合の条件を打診する（ステップ６０５）。ゲストがＯＫの回答をし、かつルームオーナーから条件に関する回答があった場合（ステップ６０６のＹｅｓ）、そのゲストをルームオーナーに斡旋する旨を該レンタル条件と共にチャットルームレンタル受付手段に打診し（ステップ６０７）、ステップ１０７へ進む。一方、ゲストが英会話教室を開講するつもりはないとの返事があった場合および／またはルームオーナーからレンタル条件についての回答がない場合は（ステップ６０６のＮｏ）処理を終了する。
【産業上の利用可能性】
【００４５】
本発明によれば、ユーザーは、アイディアや企画さえあれば、会場の準備などに煩わされることなく、自由にイベントを開催できると共に、パソコン、携帯電話等の情報通信機器があれば現在地を問わずライブチャットに参加できる。例えば海外にいても交通費や移動時間をかけずに参加することができる。
また、本発明のシステムの管理者は、チャットルームをレンタルすることにより、安定した収入を得ることができる。
そして、イベントの評価制度を設ければ、管理者としてはイベントの水準を維持することができ、一方のルームオーナーは、実社会で更なるステップアップを図ることもできる。
【図面の簡単な説明】
【００４６】
【図１】本発明のシステムの全体を示す構成図である。
【図２】本発明のシステムが備える各手段を示す図である。
【図３】ルームオーナー申し込み用ページの一例を示す図である。
【図４】ゲスト用のイベントリストのページの一例を示す図である。
【図５】会員のページの一例を示す図である。
【図６】イベントの開催を望むユーザーが本発明のシステムにおいてチャットルームをレンタルするまでの流れを示す図である。
【図７】チャットルームのレンタル契約完了後のイベントの告知に関する流れを示す図である。
【図８】イベントへの参加を望むユーザーが本発明のシステムにおいてイベントのゲストとなるまでの流れを示す図である。
【図９】参加費用（ポイント）、レンタル料などの請求についての流れを示す図である。
【図１０】イベント評価手段４１による評価の手順を示す図である。
【図１１】ルームオーナー斡旋手段５１によるゲストの斡旋の手順を示す図である。
【符号の説明】
【００４７】
１１  ルームオーナー受付手段
１３  ゲスト受付手段
１５  会員プロフィール登録手段
２１  参加費用徴収手段
２３  レンタル料徴収手段
２５  イベント収入管理手段
２７  会員ポイント管理手段
３１  ルームオープン告知手段
４１  イベント評価手段
５１  ルームオーナー斡旋手段
６１  イベント内アクセス手段
６３  私書箱レンタル手段
６５  宅配物転送サービス手段
【図１】
2006107306.tif 000003
【図２】
2006107306.tif 000004
【図３】
2006107306.tif 000005
【図４】
2006107306.tif 000006
【図５】
2006107306.tif 000007
【図６】
2006107306.tif 000008
【図７】
2006107306.tif 000009
【図８】
2006107306.tif 000010
【図９】
2006107306.tif 000011
【図１０】
2006107306.tif 000012
【図１１】
2006107306.tif 000013